(57)【要約】【課題】チャンネル配置が変更された場合でも、ダウンコンバータやアップコンバータのシステム設備の機器交換など必要なく、柔軟に対応すること。【解決手段】ヘッドエンド装置２０は、ダウンコンバートするチャンネルを設定する設定手段（設定部２７）と、設定手段によって設定されたチャンネルの放送信号をダウンコンバートするダウンコンバート手段（ダウンコンバータ２２−１〜２２−Ｎ）と、ダウンコンバート手段によってダウンコンバートされた信号を送信する送信手段（混合器２３）と、を有し、アップコンバータ４０は、ダウンコンバート手段によってダウンコンバートされたチャンネルの放送信号を元の周波数の放送信号にアップコンバートするアップコンバート手段（アップコンバート部４２−１〜４２−Ｎ）と、アップコンバート手段によってアップコンバートされた放送信号を出力する出力手段（混合器４３）と、を有する。【選択図】図１
2020141241.tif 000002
【特許請求の範囲】
【請求項１】
複数のチャンネルのうちの一部のチャンネルの放送信号をダウンコンバータでダウンコンバートして伝送路を介して送信し、アップコンバータでアップコンバートして出力する放送システムにおいて、
前記ダウンコンバータは、
ダウンコンバートするチャンネルを設定する設定手段と、
前記設定手段によって設定されたチャンネルの放送信号をダウンコンバートするダウンコンバート手段と、
前記ダウンコンバート手段によってダウンコンバートされた信号を送信する送信手段と、を有し、
前記アップコンバータは、
前記ダウンコンバート手段によってダウンコンバートされたチャンネルの放送信号を元の周波数の放送信号にアップコンバートするアップコンバート手段と、
前記アップコンバート手段によってアップコンバートされた放送信号を出力する出力手段と、を有する、
ことを特徴とする放送システム。
【請求項２】
前記ダウンコンバート手段は、ＢＳ／ＣＳ右旋放送信号およびＢＳ／ＣＳ左旋放送信号を、ＣＡＴＶ放送信号の周波数帯域にダウンコンバートし、
前記アップコンバート手段は、ＣＡＴＶ放送信号の周波数帯域にダウンコンバートされた放送信号をＢＳ／ＣＳ右旋放送信号およびＢＳ／ＣＳ左旋放送信号の周波数帯域にアップコンバートする、
ことを特徴とする請求項１に記載の放送システム。
【請求項３】
前記ダウンコンバータは、ダウンコンバートの対象となるチャンネルに関する情報を設定情報として前記アップコンバータに送信する送信手段を有し、
前記アップコンバータは、前記設定情報を受信する受信手段と、前記受信手段によって受信された前記設定情報に基づいて前記アップコンバート手段を設定する第２設定手段と、を有する、
ことを特徴とする請求項１または２に記載の放送システム。
【請求項４】
前記アップコンバータは、前記ダウンコンバータから送信される放送信号に含まれるダウンコンバートされたチャンネルを特定するとともに、特定されたチャンネルの放送信号をアップコンバートする周波数を特定する特定手段と、前記特定手段によって特定された情報に基づいて、前記アップコンバート手段を制御する制御手段と、
を有することを特徴とする請求項１または２に記載の放送システム。
【請求項５】
複数のチャンネルのうちの一部のチャンネルの放送信号をダウンコンバータでダウンコンバートして伝送路を介して送信し、アップコンバータでアップコンバートして出力する放送システムの制御方法において、
前記ダウンコンバータは、
ダウンコンバートするチャンネルを設定する設定ステップと、
前記設定ステップにおいて設定されたチャンネルの放送信号をダウンコンバートするダウンコンバートステップと、
前記ダウンコンバートステップにおいてダウンコンバートされた信号を送信する送信ステップと、を有し、
前記アップコンバータは、
前記ダウンコンバートステップによってダウンコンバートされたチャンネルの放送信号を元の周波数の放送信号にアップコンバートするアップコンバートステップと、
前記アップコンバートステップにおいてアップコンバートされた放送信号を出力する出力ステップと、を有する、
ことを特徴とする放送システムの制御方法。
【請求項６】
複数のチャンネルのうちの一部のチャンネルの放送信号をダウンコンバータでダウンコンバートして伝送路を介して送信し、アップコンバータでアップコンバートして出力する放送システムの前記ダウンコンバータにおいて、
ダウンコンバートするチャンネルを設定する設定手段と、
前記設定手段によって設定されたチャンネルの放送信号をダウンコンバートするダウンコンバート手段と、
前記ダウンコンバート手段によってダウンコンバートされた信号を送信する送信手段と、
を有することを特徴とするダウンコンバータ。
【請求項７】
複数のチャンネルのうちの一部のチャンネルの放送信号をダウンコンバータでダウンコンバートして伝送路を介して送信し、アップコンバータでアップコンバートして出力する放送システムの前記アップコンバータにおいて、
前記ダウンコンバータが有するダウンコンバート手段によってダウンコンバートされたチャンネルの放送信号を元の周波数の放送信号にアップコンバートするアップコンバート手段と、
前記アップコンバート手段によってアップコンバートされた放送信号を出力する出力手段と、
を有することを特徴とするアップコンバータ。
【発明の詳細な説明】
【技術分野】
【０００１】
本発明は、放送システム、放送システムの制御方法、ダウンコンバータ、および、アップコンバータに関するものである。
【背景技術】
【０００２】
特許文献１には、送信側において１０３０〜１３３７ＭＨｚの帯域のＢＳ放送信号を２つのブロックに分割し、これらのブロックを異なる周波数の局発信号によってダウンコンバートすることで７０〜７７０ＭＨｚのＣＡＴＶ放送信号の帯域に収容し、受信側においてダウンコンバートされた信号をアップコンバートすることで元のＢＳ放送信号に復元する技術が開示されている。
【先行技術文献】
【特許文献】
【０００３】
【特許文献１】特開２００１−８６４７７号公報
【発明の概要】
【発明が解決しようとする課題】
【０００４】
ところで、特許文献１に開示された技術では、７０〜７７０ＭＨｚの帯域に分割方法および分割したブロックの収容先は固定であるため、チャンネル配置の変更がされた場合、システムが柔軟に対応できないという問題点がある。
【０００５】
また、チャンネル配置が変更された場合には、ダウンコンバータやアップコンバータのシステム設備の機器交換など簡単に対応できないという問題点がある。
【０００６】
本発明は、このような課題を解決するためのものであり、チャンネル配置が変更された場合でも、柔軟に対応することが可能な放送システム、放送システムの制御方法、ダウンコンバータ、および、アップコンバータを提供するものである。
【課題を解決するための手段】
【０００７】
上記課題を解決するために、本発明は、複数のチャンネルのうちの一部のチャンネルの放送信号をダウンコンバータでダウンコンバートして伝送路を介して送信し、アップコンバータでアップコンバートして出力する放送システムにおいて、前記ダウンコンバータは、ダウンコンバートするチャンネルを設定する設定手段と、前記設定手段によって設定されたチャンネルの放送信号をダウンコンバートするダウンコンバート手段と、前記ダウンコンバート手段によってダウンコンバートされた信号を送信する送信手段と、を有し、前記アップコンバータは、前記ダウンコンバート手段によってダウンコンバートされたチャンネルの放送信号を元の周波数の放送信号にアップコンバートするアップコンバート手段と、前記アップコンバート手段によってアップコンバートされた放送信号を出力する出力手段と、を有する、ことを特徴とする。
このような構成によれば、チャンネル配置が変更された場合でも、柔軟に対応することが可能となる。
【０００８】
また、本発明は、前記ダウンコンバート手段は、ＢＳ／ＣＳ右旋放送信号およびＢＳ／ＣＳ左旋放送信号を、ＣＡＴＶ放送信号の周波数帯域にダウンコンバートし、前記アップコンバート手段は、ＣＡＴＶ放送信号の周波数帯域にダウンコンバートされた放送信号をＢＳ／ＣＳ右旋放送信号およびＢＳ／ＣＳ左旋放送信号の周波数帯域にアップコンバートする、ことを特徴とする。
このような構成によれば、ＢＳ／ＣＳ放送信号をＣＡＴＶ放送信号にダウンコンバートして送信するとともに、チャンネル配置の変更に対して柔軟に対応することができる。      
【０００９】
また、本発明は、前記ダウンコンバータは、ダウンコンバートの対象となるチャンネルに関する情報を設定情報として前記アップコンバータに送信する送信手段を有し、前記アップコンバータは、前記設定情報を受信する受信手段と、前記受信手段によって受信された前記設定情報に基づいて前記アップコンバート手段を設定する第２設定手段と、を有する、ことを特徴とする。
このような構成によれば、設定情報に基づいて、複数存在するアップコンバータの設定を容易に変更することができる。
【００１０】
また、本発明は、前記アップコンバータは、前記ダウンコンバータから送信される放送信号に含まれるダウンコンバートされたチャンネルを特定するとともに、特定されたチャンネルの放送信号をアップコンバートする周波数を特定する特定手段と、前記特定手段によって特定された情報に基づいて、前記アップコンバート手段を制御する制御手段と、を有することを特徴とする。
このよう構成によれば、アップコンバータが自動的に設定を行うことが可能になる。
【００１１】
また、本発明は、複数のチャンネルのうちの一部のチャンネルの放送信号をダウンコンバータでダウンコンバートして伝送路を介して送信し、アップコンバータでアップコンバートして出力する放送システムの制御方法において、前記ダウンコンバータは、ダウンコンバートするチャンネルを設定する設定ステップと、前記設定ステップにおいて設定されたチャンネルの放送信号をダウンコンバートするダウンコンバートステップと、前記ダウンコンバートステップにおいてダウンコンバートされた信号を送信する送信ステップと、を有し、前記アップコンバータは、前記ダウンコンバートステップによってダウンコンバートされたチャンネルの放送信号を元の周波数の放送信号にアップコンバートするアップコンバートステップと、前記アップコンバートステップにおいてアップコンバートされた放送信号を出力する出力ステップと、を有する、ことを特徴とする。
このような方法によれば、チャンネル配置が変更された場合でも、柔軟に対応することが可能となる。
【００１２】
また、本発明は、複数のチャンネルのうちの一部のチャンネルの放送信号をダウンコンバータでダウンコンバートして伝送路を介して送信し、アップコンバータでアップコンバートして出力する放送システムの前記ダウンコンバータにおいて、ダウンコンバートするチャンネルを設定する設定手段と、前記設定手段によって設定されたチャンネルの放送信号をダウンコンバートするダウンコンバート手段と、前記ダウンコンバート手段によってダウンコンバートされた信号を送信する送信手段と、を有することを特徴とする。
このような構成によれば、チャンネル配置が変更された場合でも、柔軟に対応することが可能となる。
【００１３】
また、本発明は、複数のチャンネルのうちの一部のチャンネルの放送信号をダウンコンバータでダウンコンバートして伝送路を介して送信し、アップコンバータでアップコンバートして出力する放送システムの前記アップコンバータにおいて、前記ダウンコンバータが有するダウンコンバート手段によってダウンコンバートされたチャンネルの放送信号を元の周波数の放送信号にアップコンバートするアップコンバート手段と、前記アップコンバート手段によってアップコンバートされた放送信号を出力する出力手段と、を有することを特徴とする。
このような構成によれば、チャンネル配置が変更された場合でも、柔軟に対応することが可能となる。
【発明の効果】
【００１４】
本発明によれば、チャンネル配置が変更された場合でも、ダウンコンバータやアップコンバータのシステム設備の機器交換など必要なく、柔軟に対応することが可能な放送システム、放送システムの制御方法、ダウンコンバータ、および、アップコンバータを提供することが可能となる。
【図面の簡単な説明】
【００１５】
【図１】本発明の第１実施形態に係る放送システムの構成例を示す図である。
【図２】図１に示すダウンコンバータの構成例を示す図である。
【図３】図１に示すアップコンバータの構成例を示す図である。
【図４】本発明の第１実施形態の動作を説明するための図である。
【図５】図２に示すダウンコンバータにおいて実行される処理の一例を説明するためのフローチャートである。
【図６】図３に示すアップコンバータにおいて実行される処理の一例を説明するためのフローチャートである。
【図７】第２実施形態に係るダウンコンバータの構成例を示す図である。
【図８】第２実施形態に係るアップコンバータの構成例を示す図である。
【図９】図７に示すダウンコンバータにおいて実行される処理の一例を説明するためのフローチャートである。
【図１０】図８に示すアップコンバータにおいて実行される処理の一例を説明するためのフローチャートである。
【図１１】本発明の変形実施形態の構成例を示す図である。
【発明を実施するための形態】
【００１６】
次に、本発明の実施形態について説明する。
【００１７】
（Ａ）本発明の第１実施形態の構成の説明
図１は、本発明の第１実施形態に係る放送システムの構成例を示す図である。図１に示すように、本発明の第１実施形態に係る放送システムは、アンテナ１０、ヘッドエンド装置２０、伝送路３０、アップコンバータ４０、および、テレビジョン（ＴＶ）受像機５０を有している。なお、図１では、図面を簡略化するために、アップコンバータ４０およびテレビジョン受像機５０は、１台ずつしか記載していないが、実際にはこれらは複数存在している。アンテナ１０およびヘッドエンド装置２０はヘッドエンド側に配置され、アップコンバータ４０およびテレビジョン受像機５０は、加入者側の宅内等に配置される。
【００１８】
ここで、アンテナ１０は、例えば、ＢＳ右旋放送信号、１１０°ＣＳ右旋放送信号、ＢＳ左旋放送信号、および、１１０°ＣＳ左旋放送信号を受信し、ヘッドエンド装置２０に供給する。なお、図面を簡略化するために、図１では省略しているが、伝送路３０には、その他のヘッドエンド信号も供給される。
【００１９】
ヘッドエンド装置２０は、アンテナ１０から供給される、１０３２〜３２２４ＭＨｚ帯域のＢＳ右旋放送信号、１１０°ＣＳ右旋放送信号、ＢＳ左旋放送信号、および、１１０°ＣＳ左旋放送信号を７０〜７７０ＭＨｚ帯域にダウンコンバートして出力する。
【００２０】
伝送路３０は、例えば、同軸ケーブル等によって構成され、ヘッドエンド装置２０から出力される電気信号を伝送する。
【００２１】
アップコンバータ４０は、伝送路３０を伝送される放送信号を受信するとともに、ダウンコンバートされた信号をアップコンバートして元の放送信号に復元し、テレビジョン受像機５０に供給する。
【００２２】
テレビジョン受像機５０は、アップコンバータ４０から供給される放送信号を復調して映像信号、音声信号、および、テキスト情報等を再生し、液晶表示部に表示するとともに、スピーカから音声として放音する。
【００２３】
図２は、図１に示すヘッドエンド装置２０の詳細な構成例を示す図である。図２に示すように、ヘッドエンド装置２０は、分配器２１、ダウンコンバータ２２−１〜２２−Ｎ（Ｎ＞１）、混合器２３、制御部２４、記憶部２５、送信部２６、および、設定部２７を有している。
【００２４】
ここで、分配器２１は、アンテナ１０から入力される放送信号を分配してダウンコンバータ２２−１〜２２−Ｎにそれぞれ供給する。
【００２５】
ダウンコンバータ２２−１〜２２−Ｎは、復調部２２−１ａ〜２２−Ｎａおよび変調部２２−２ｂ〜２２−Ｎｂをそれぞれ有している。復調部２２−１ａ〜２２−Ｎａは、分配器２１から供給される放送信号から所定のチャンネルの信号を抽出し、復調して出力する。変調部２２−１ｂ〜２２−Ｎｂは、復調部２２−１ａ〜２２−Ｎａから出力される信号を、制御部２４によって指定される周波数の信号にダウンコンバートして出力する。この結果、例えば、１０３２〜３２２４ＭＨｚ帯域の放送信号は、７０〜７７０ＭＨｚ帯域にダウンコンバートされて出力される。
【００２６】
混合器２３は、ダウンコンバータ２２−１〜２２−Ｎから出力される信号と、その他のヘッドエンド信号とを混合して伝送路３０に対して出力する。
【００２７】
制御部２４は、記憶部２５に記憶されたプログラム等に基づいて装置の全体を制御する。記憶部２５には、装置を制御するためのプログラムと、ダウンコンバータ２２−１〜２２−Ｎを設定するための設定情報が格納されている。
【００２８】
送信部２６は、アップコンバータ４０を設定するための設定情報を、混合器２３を介してアップコンバータ４０に送信する。
【００２９】
設定部２７は、ダウンコンバータ２２−１〜２２−Ｎおよび後述するアップコンバート部４２−１〜４２−Ｎを設定するための設定情報が入力される。
【００３０】
図３は、図１に示すアップコンバータ４０の詳細な構成例を示す図である。図３に示すように、アップコンバータ４０は、分配器４１、アップコンバート部４２−１〜４２−Ｎ（Ｎ＞１）、混合器４３、制御部４４、受信部４５、および、記憶部４６を有している。
【００３１】
ここで、分配器４１は、伝送路３０から入力される放送信号を分配してアップコンバート部４２−１〜４２−Ｎに供給する。
【００３２】
アップコンバート部４２−１〜４２−Ｎは、ＢＰＦ４２−１ａ〜ＢＰＦ４２−Ｎａおよび周波数変換部４２−１ｂ〜４２−Ｎｂをそれぞれ有している。ＢＰＦ４２−１ａ〜ＢＰＦ４２−Ｎａは、分配器４１から供給される放送信号から所定のチャンネルの信号を抽出して出力する。周波数変換部４２−１ｂ〜４２−Ｎｂは、ＢＰＦ４２−１ａ〜４２−Ｎａから出力される信号を、制御部２４によって指定される周波数の信号にアップコンバートして出力する。この結果、例えば、７０〜７７０ＭＨｚ帯域の信号は、１０３２〜３２２４ＭＨｚ帯域にアップコンバートされて出力される。
【００３３】
混合器４３は、アップコンバート部４２−１〜４２−Ｎから出力される信号と、その他の信号とを混合してテレビジョン受像機５０に対して出力する。
【００３４】
制御部４４は、記憶部４６に記憶されたプログラム等に基づいて装置の全体を制御する。記憶部４６には、装置を制御するためのプログラムと、アップコンバート部４２−１〜４２−Ｎを設定するための設定情報が格納されている。
【００３５】
受信部４５は、ヘッドエンド装置２０から送信されたアップコンバータ４０を設定するための設定情報を受信して制御部４４に供給する。
【００３６】
（Ｂ）本発明の第１実施形態の動作の説明
つぎに、本発明の第１実施形態の動作について説明する。図４は、第１実施形態の動作の概要を説明するための図である。図４の横軸は周波数を示し、各矩形は放送信号のチャンネルを示している。
【００３７】
放送システムの管理者が、チャンネル配列の割り当てを設定するための情報（設定情報）を、設定部２７を操作して入力したとすると、制御部２４は設定情報を記憶部２５に記憶させる。なお、このとき、管理者は、新たな設定に変更するタイミング（例えば、日時時刻）を示す設定変更タイミング情報も設定情報として入力する。このような設定変更タイミング情報も、記憶部２５に記憶される。
【００３８】
次に、制御部２４は、記憶部２５に記憶されている設定情報に基づいて、アップコンバータ用の設定情報（詳細は後述する）を生成する。制御部２４は、設定変更タイミング情報を含むアップコンバータ用の設定情報を、混合器２３を介してアップコンバータ４０に送信する。アップコンバータ４０の受信部４５は、ヘッドエンド装置２０から送信された設定変更タイミング情報を含む設定情報を受信し、制御部４４に供給する。制御部４４は、設定変更タイミング情報を含む設定情報を記憶部４６に記憶する。
【００３９】
以上の状態において、設定変更タイミング情報に示されたタイミングになった場合には、制御部２４は、記憶部２５に記憶されている設定情報を参照して、ダウンコンバータ２２−１〜２２−Ｎの設定を変更する。
【００４０】
より詳細には、制御部２４は、図４（Ａ）に示すチャンネルＡ〜Ｄの放送信号を入力し、図４（Ｂ）に示すようにダウンコンバートして出力するように設定する。より詳細には、例えば、ダウンコンバータ２２−１の復調部２２−１ａは、図４（Ａ）に示すチャンネルＡの放送信号を選択して復調して出力するように、復調部２２−１ａが選択する放送信号を設定する。また、制御部２４は、図４（Ａ）に示すチャンネルＡの放送信号が、図４（Ｂ）に示すチャンネルＡ’の放送信号となるように、変調部２２−１ｂがダウンコンバートする周波数（局発信号の周波数）を設定する。
【００４１】
同様に、制御部２４は、ダウンコンバータ２２−２が図４（Ａ）に示すチャンネルＢの放送信号を図４（Ｂ）のチャンネルＢ’の放送信号にダウンコンバートするように設定し、ダウンコンバータ２２−３が図４（Ａ）に示すチャンネルＣの放送信号を図４（Ｂ）のチャンネルＣ’の放送信号にダウンコンバートするように設定し、ダウンコンバータ２２−４が図４（Ａ）に示すチャンネルＤの放送信号を図４（Ｂ）のチャンネルＤ’の放送信号にダウンコンバートするように設定する。なお、図４では、チャンネルＡ〜Ｄについてのみ記載しているが、実際にはこれら以外のチャンネルも存在し、制御部２４は、これら以外のチャンネルについても処理対象となるチャンネルと、ダウンコンバートする周波数について設定する。
【００４２】
アップコンバータ４０の制御部４４は、記憶部４６に記憶した設定変更タイミング情報を参照し、設定変更タイミング情報に示されたタイミングになった場合には、記憶部４６に記憶されている設定情報を参照して、アップコンバート部４２−１〜４２−Ｎの設定を変更する。
【００４３】
すなわち、制御部４４は、図４（Ｂ）に示すチャンネルＡ’〜Ｄ’の放送信号を入力し、図４（Ｃ）に示すようにアップコンバートして出力するように設定する。より詳細には、例えば、アップコンバート部４２−１のＢＰＦ４２−１ａは、図４（Ｂ）に示すチャンネルＡの放送信号を通過させるように、ＢＰＦ４２−１ａの通過帯域を設定する。また、制御部４４は、図４（Ｂ）に示すチャンネルＡ’の放送信号が、図４（Ｃ）に示すチャンネルＡの放送信号となるように、周波数変換部４２−１ｂがアップコンバートする周波数（局発信号の周波数）を設定する。
【００４４】
同様に、制御部４４は、アップコンバート部４２−２が図４（Ｂ）に示すチャンネルＢ’の放送信号を図４（Ｃ）のチャンネルＢの放送信号にアップコンバートするように設定し、アップコンバート部４２−３が図４（Ｂ）に示すチャンネルＣ’の放送信号を図４（Ｃ）のチャンネルＣの放送信号にアップコンバートするように設定し、アップコンバート部４２−４が図４（Ｂ）に示すチャンネルＤ’の放送信号を図４（Ｃ）のチャンネルＤの放送信号にアップコンバートするように設定する。なお、図４では、チャンネルＡ〜Ｄについてのみ記載しているが、実際にはこれら以外のチャンネルも存在し、制御部４４は、これら以外のチャンネルについても通過させるチャンネルと、アップコンバートする周波数について設定する。
【００４５】
以上の動作によって、設定が完了すると、ヘッドエンド装置２０およびアップコンバータ４０は、再起動することにより、設定を有効化する。なお、このような再起動は、例えば、深夜等の視聴者が少ない時間帯や放送の休止時間帯に行うことが望ましい。
【００４６】
再起動によって、設定が有効化されると、以下のような動作が実行され、放送システムが放送信号を伝送する。
【００４７】
すなわち、ヘッドエンド装置２０では、ダウンコンバータ２２−１が図４（Ａ）に示すチャンネルＡの放送信号を、図４（Ｂ）に示すチャンネルＡ’の放送信号にダウンコンバートする。同様に、ダウンコンバータ２２−２が図４（Ａ）に示すチャンネルＢの放送信号を、図４（Ｂ）に示すチャンネルＢ’の放送信号にダウンコンバートし、ダウンコンバータ２２−３が図４（Ａ）に示すチャンネルＣの放送信号を、図４（Ｂ）に示すチャンネルＣ’の放送信号にダウンコンバートし、ダウンコンバータ２２−４が図４（Ａ）に示すチャンネルＤの放送信号を、図４（Ｂ）に示すチャンネルＤ’の放送信号にダウンコンバートする。なお、ダウンコンバータ２２−５〜２２−Ｎも同様にして設定されたチャンネルの放送信号をダウンコンバートして出力する。
【００４８】
以上のようにしてダウンコンバートされた放送信号は、混合器２３で混合され、伝送路３０を介してアップコンバータ４０に送信される。
【００４９】
アップコンバータ４０では、受信した信号を分配器４１が分配してアップコンバート部４２−１〜４２−Ｎに供給する。
【００５０】
アップコンバート部４２−１では、図４（Ｂ）に示すチャンネルＡ’の放送信号をＢＰＦ４２−１ａが通過させ、周波数変換部４２−１ｂが図４（Ｂ）に示すチャンネルＡ’の放送信号を図４（Ｃ）に示すチャンネルＡの放送信号になるようにアップコンバートする。
【００５１】
同様に、アップコンバート部４２−２では、図４（Ｂ）に示すチャンネルＢ’の放送信号をＢＰＦ４２−２ａが通過させ、周波数変換部４２−２ｂが図４（Ｂ）に示すチャンネルＢ’の放送信号を図４（Ｃ）に示すチャンネルＢの放送信号になるようにアップコンバートする。アップコンバート部４２−３では、図４（Ｂ）に示すチャンネルＣ’の放送信号をＢＰＦ４２−３ａが通過させ、周波数変換部４２−３ｂが図４（Ｂ）に示すチャンネルＣ’の放送信号を図４（Ｃ）に示すチャンネルＣの放送信号になるようにアップコンバートする。アップコンバート部４２−４では、図４（Ｂ）に示すチャンネルＤ’の放送信号をＢＰＦ４２−４ａが通過させ、周波数変換部４２−４ｂが図４（Ｂ）に示すチャンネルＤ’の放送信号を図４（Ｃ）に示すチャンネルＤの放送信号になるようにアップコンバートする。
【００５２】
なお、チャンネルの設定が再度変更になった場合には、前述の場合と同様の処理が実行され、ヘッドエンド装置２０およびアップコンバータ４０の設定が変更される。
【００５３】
以上に説明したように、本発明の第１実施形態によれば、ヘッドエンド装置２０では、ダウンコンバートする対象となるチャンネルを自由に設定できるとともに、ダウンコンバートする周波数を自由に設定できるようにした。また、アップコンバータ４０では、アップコンバートする対象となるチャンネルを自由に設定できるとともに、アップコンバートする周波数を自由に設定できるようにした。このため、ダウンコンバート先の周波数帯域の空き状況に応じて、ダウンコンバートおよびアップコンバートする周波数を自由に選択することができる。
【００５４】
また、設定情報に基づいてヘッドエンド装置２０を設定するとともに、この設定情報をアップコンバータ４０に送信して、アップコンバータ４０でも同様の設定をすることで、多数存在するアップコンバータ４０の設定を確実に行うことができる。
【００５５】
つぎに、図５および図６を参照して、第１実施形態において実行される処理の詳細について説明する。
【００５６】
図５は、図２に示すヘッドエンド装置２０において実行される処理の一例を説明するフローチャートである。図５に示すフローチャートの処理が開始されると、以下のステップが実行される。
【００５７】
ステップＳ１０では、制御部２４は、設定部２７から設定情報の入力を得る。より詳細には、図４に示す各チャンネルのダウンコンバートの周波数を設定情報として入力するとともに、設定変更を行うタイミングを示す設定変更タイミング情報を入力する。
【００５８】
ステップＳ１１では、制御部２４は、設定部２７から入力された設定情報（設定変更タイミング情報を含む情報）を、記憶部２５に記憶させる。
【００５９】
ステップＳ１２では、制御部２４は、ステップＳ１０で入力した設定情報を参照して、アップコンバータ４０の設定情報を生成する。より詳細には、ダウンコンバートしたチャンネルの周波数と、ダウンコンバートした放送信号を元に戻すためのアップコンバートの周波数と、設定変更タイミング情報とに基づいて設定情報を生成する。
【００６０】
ステップＳ１３では、制御部２４は、ステップＳ１２で生成したアップコンバータ用の設定情報を、送信部２６を介して送信する。この結果、アップコンバータ４０では、図６に示すステップＳ３０でこの情報を受信する。
【００６１】
ステップＳ１４では、制御部２４は、記憶部２５に記憶されている設定変更タイミング情報を参照し、設定を変更するタイミングか否かを判定し、設定変更タイミングであると判定した場合（ステップＳ１４：Ｙ）にはステップＳ１５に進み、それ以外の場合（ステップＳ１４：Ｎ）には同様の処理を繰り返す。
【００６２】
ステップＳ１５では、制御部２４は、処理回数をカウントする変数ｉに初期値として１を設定する。
【００６３】
ステップＳ１６では、制御部２４は、第ｉ番目のダウンコンバート部の設定を行う。例えば、制御部２４は、ダウンコンバータ２２−ｉの設定を実行する。より詳細には、復調部２２−ｉａが選択するチャンネルの周波数を設定するとともに、変調部２２−ｉｂのダウンコンバートする周波数を設定する。例えば、ｉ＝１の場合には、復調部２２−１ａが選択するチャンネルの周波数を設定するとともに、変調部２２−１ｂのダウンコンバートする周波数を設定する。
【００６４】
ステップＳ１７では、制御部２４は、変数ｉの値を１インクリメントする。
【００６５】
ステップＳ１８では、制御部２４は、ｉ≦Ｎ（図４の例では、Ｎ＝４）を満たすか否かを判定し、満たす場合（ステップＳ１８：Ｙ）にはステップＳ１６に戻って前述の場合と同様の処理を繰り返し、それ以外の場合（ステップＳ１８：Ｎ）にはステップＳ１９に進む。
【００６６】
ステップＳ１９では、制御部２４は、装置を再起動させる。これにより、ステップＳ１６〜ステップＳ１８のループ処理による設定が有効化される。
【００６７】
つぎに、図６を参照して、図３に示すアップコンバータ４０において実行される処理の詳細について説明する。図６に示すフローチャートの処理が開始されると、以下のステップが実行される。
【００６８】
ステップＳ３０では、受信部４５は、図５のステップＳ１３で送信された設定情報を受信する。
【００６９】
ステップＳ３１では、制御部４４は、ステップＳ３０で受信した設定情報を記憶部４６に記憶させる。
【００７０】
ステップＳ３２では、制御部４４は、設定情報に含まれる設定変更タイミング情報を参照して、設定変更タイミングになったか否かを判定し、設定変更タイミングになったと判定した場合（ステップＳ３２：Ｙ）にはステップＳ３３に進み、それ以外の場合（ステップＳ３２：Ｎ）には同様の処理を繰り返す。
【００７１】
ステップＳ３３では、制御部４４は、処理回数をカウントする変数ｉに初期値として１を設定する。
【００７２】
ステップＳ３４では、制御部４４は、第ｉ番目のアップコンバート部の設定を行う。例えば、制御部４４は、アップコンバート部４２−ｉの設定を実行する。より詳細には、ＢＰＦ４２−ｉａが選択するチャンネルの周波数を設定するとともに、周波数変換部４２−ｉｂがアップコンバートする周波数を設定する。例えば、ｉ＝１の場合には、制御部４４は、ＢＰＦ４２−１ａが選択するチャンネルの周波数を設定するとともに、周波数変換部４２−１ｂがアップコンバートする周波数を設定する。
【００７３】
ステップＳ３５では、制御部４４は、変数ｉの値を１インクリメントする。
【００７４】
ステップＳ３６では、制御部４４は、ｉ≦Ｎ（図４の例では、Ｎ＝４）を満たすか否かを判定し、満たす場合（ステップＳ３６：Ｙ）にはステップＳ３４に戻って前述の場合と同様の処理を繰り返し、それ以外の場合（ステップＳ３６：Ｎ）にはステップＳ３７に進む。
【００７５】
ステップＳ３７では、制御部４４は、装置を再起動させる。これにより、ステップＳ３４〜ステップＳ３６のループ処理による設定が有効化される。
【００７６】
以上の処理によれば、前述した第１実施形態の動作を実現することができる。
【００７７】
（Ｃ）本発明の第２実施形態の構成の説明
つぎに、本発明の第２実施形態について説明する。図７および図８は、第２実施形態の構成例を示す図である。なお、図７および図８において、図２および図３と対応する部分には同一の符号を付してその説明を省略する。
【００７８】
図７では、図２と比較すると、送信部２６が除外されている。これ以外の構成は、図２と同様である。また、図８では、図３と比較すると、受信部４５が除外され、解析部４７が新たに追加されている。これら以外の構成は、図３と同様である。
【００７９】
第２実施形態では、ヘッドエンド装置２０は、アップコンバータ４０に対して、設定情報を送信しない。アップコンバータ４０は、解析部４７によって、放送信号を解析することで、設定情報を自動的に生成し、この設定情報に基づいて設定を行う点が第１実施形態と異なる。
【００８０】
（Ｄ）本発明の第２実施形態の動作の説明
つぎに、本発明の第２実施形態の動作について説明する。以下では、第２実施形態の概略動作について説明した後、図９および図１０を参照して、詳細な動作について説明する。
【００８１】
第２実施形態では、ヘッドエンド装置２０は、第１実施形態と同様に、設定部２７から入力された設定情報に基づいてダウンコンバータ２２−１〜２２−Ｎを設定するが、設定情報を生成してアップコンバータ４０に送信する処理は行わない。なお、ダウンコンバータ２２−１〜２２−Ｎの設定が完了すると、再起動がされ、設定された情報に基づいてダウンコンバートが実行され、例えば、図４（Ｂ）に示す放送信号がアップコンバータ４０に向けて送信される。
【００８２】
アップコンバータ４０では、解析部４７が受信信号を解析し、ダウンコンバートされたチャンネルの周波数を特定するとともに、ダウンコンバートされたチャンネルの元の周波数（アップコンバート先の周波数）を特定する。例えば、図４の例では、ダウンコンバートされたチャンネルとして図４（Ｂ）に示すチャンネルＡ〜Ｄを特定するとともに、これらのチャンネルＡ〜Ｄの周波数を特定する。また、アップコンバートする周波数として、図４（Ｃ）に示す、それぞれのチャンネルの放送信号の元の周波数を特定する。
【００８３】
制御部４４は、解析部４７が解析したこれらの情報を記憶部４６に記憶させるとともに、記憶部４６に記憶されている前述した情報に基づいて、アップコンバート部４２−１〜４２−Ｎを設定する。これにより、チャンネルの設定が変更された場合には、個々のアップコンバータ４０が自動的にチャンネルを解析して、再設定することができる。
【００８４】
つぎに、図９および図１０を参照して、第２実施形態において実行される処理の詳細について説明する。
【００８５】
図９は、図７に示すヘッドエンド装置２０において実行される処理の一例を説明するためのフローチャートである。なお、図９に示す処理において、図５と対応する部分には同一の符号を付してその説明を省略する。図９では、図５と比較すると、ステップＳ１２およびステップＳ１３が除外されている。これら以外は、図５と同様である。すなわち、図９では、図５と比較すると、設定情報の生成を行わず、また、設定情報をアップコンバータ４０に送信する処理を実行しない。
【００８６】
図１０は、アップコンバータ４０において実行される処理の一例を説明するためのフローチャートである。なお、図１０に示す処理において、図６と対応する部分には同一の符号を付してその説明を省略する。図１０では、図６と比較すると、ステップＳ３０〜ステップＳ３２の処理が除外され、ステップＳ５１〜ステップＳ５５の処理が追加されている。これら以外は、図６と同様である。以下では、ステップＳ５１〜ステップＳ５５の処理について説明する。
【００８７】
ステップＳ５１では、解析部４７は、受信信号の解析処理を実行する。より詳細には、解析部４７は、所定の周期で、受信信号の周波数成分を解析し、過去の解析結果と比較することで、チャンネルの配置の変化から設定が変更されたことを検出する。
【００８８】
ステップＳ５２では、解析部４７は、ステップＳ５１における解析結果に基づいて、設定が変更されたか否かを判定し、設定が変更されたと判定した場合（ステップＳ５２：Ｙ）にはステップＳ５３に進み、それ以外の場合（ステップＳ５２：Ｎ）にはステップＳ５１に戻って前述の場合と同様の処理を繰り返す。
【００８９】
ステップＳ５３では、解析部４７は、アップコンバートする対象となるチャンネルを特定する。より詳細には、解析部４７は、従来と周波数成分の配置が変化した場合には、変化したチャンネルを特定することで、アップコンバートする対象となるチャンネルを特定する。あるいは、ダウンコンバートされた信号が含まれないチャンネルの配置状態を記憶部４６に記憶しておき、この情報と解析部４７による解析結果を比較することで、アップコンバートする対象となるチャンネルを特定する。
【００９０】
ステップＳ５４では、解析部４７は、ステップＳ５３で特定したチャンネルの周波数を特定する。例えば、図４（Ｂ）に示すチャンネルＡ〜Ｄのそれぞれの放送信号の周波数が特定される。
【００９１】
ステップＳ５５では、解析部４７は、ステップＳ５３で特定したチャンネルの放送信号の内容を解析することで、アップコンバート先の周波数を特定する。例えば、図４（Ｃ）に示すチャンネルＡ〜Ｄの周波数が特定される。
【００９２】
なお、ステップＳ３３〜３６では、ステップＳ５１〜ステップＳ５５の解析結果に基づいて、アップコンバート部４２−１〜４２−Ｎが設定される。これにより、例えば、図４（Ｂ）に示すチャンネルＡ〜Ｄの放送信号を、図４（Ｃ）に示すチャンネルＡ〜Ｄの放送信号に変換するための設定が実行される。そして、設定が完了すると再起動が実行され、設定が有効化される。
【００９３】
以上に説明したように、本発明の第２実施形態によれば、アップコンバータ４０の解析部４７がチャンネルの設定の変化を検出するとともに、設定情報を生成して出力するようにしたので、ヘッドエンド装置２０が設定情報を生成して送信する必要がなくなる。
【００９４】
（Ｅ）変形実施形態の説明
以上の各実施形態は一例であって、本発明が上述したような場合のみに限定されるものでないことはいうまでもない。例えば、以上の各実施形態では、ヘッドエンド装置２０とアップコンバータ４０を接続する伝送路３０が同軸ケーブルの場合を例に挙げて説明したが、例えば、図１１に示すように、伝送路３５を光ケーブルによって構成するようにしてもよい。なお、この場合、ヘッドエンド装置２０の後段にＥ／Ｏ部５１を設けるとともに、アップコンバータ４０の前段にＯ／Ｅ部５２を設けるようにすればよい。
【００９５】
また、以上の第２実施形態では、アップコンバータ４０が自動的に設定情報を生成し、生成が完了すると直ちに再起動して設定を有効化するようにしたが、例えば、第１実施形態と同様に、設定変更タイミング情報をヘッドエンド装置２０からアップコンバータ４０に送信し、この設定タイミング情報に同期して、ヘッドエンド装置２０とアップコンバータ４０が設定を変更するようにしてもよい。
【００９６】
また、以上の第１実施形態では、伝送路３０に接続される全てのアップコンバータ４０を対象として設定変更を行うようにしたが、例えば、特定のアップコンバータ４０を指定して設定変更を実行するようにしてもよい。例えば、地域を選択して設定変更を行うようにしたり、アップコンバータ４０のハードウエアのバージョンを指定して設定を変更するようにしたりしてもよい。
【００９７】
また、以上の各実施形態では、アップコンバータ４０の電源については言及していないが、アップコンバータ４０の中には、テレビジョン受像機５０から電源電力の供給を受けるものがある。このような構成では、テレビジョン受像機５０の電源がオフの状態にされている場合には、アップコンバータ４０には電源電力が供給されない状態となる。この場合、アップコンバータ４０がヘッドエンド装置２０から送信される設定情報等の情報を受信できず、設定を変更することができなくなる。そこで、ヘッドエンド装置２０は、設定情報を１回送信するのではなく、一定の期間（例えば、１週間〜１ヶ月の期間）に亘って複数回設定情報等を送信するようにしてもよい。また、アップコンバータ４０に電源電力を供給中に、設定変更タイミングになった場合には、設定変更を行った後に再起動をするようにし、設定変更タイミングには電源電力が供給されず、それ以降に電源電力が供給される状態になった場合には、電源電力が供給された時点で設定変更を行って、再起動をするようにしてもよい。すなわち、チャンネル配列の変更が実行された場合には、視聴できなくなるチャンネルが発生することから、できるだけ速やかに設定変更を行うとともに再起動を行うことが望ましい。
【００９８】
また、図５，６，９，１０に示すフローチャートは一例であって、本発明がこれらのフローチャートの処理に限定されるものではないことは言うまでもない。
【符号の説明】
【００９９】
１０  アンテナ
２０  ヘッドエンド装置
２１  分配器
２２−１〜２２−Ｎ  ダウンコンバータ
２２−１ａ〜２２−Ｎａ  復調部
２２−１ｂ〜２２−Ｎｂ  変調部
２３  混合器
２４  制御部
２５  記憶部
２６  送信部
２７  設定部
３０  伝送路
３５  伝送路
４０  アップコンバータ
４１  分配器
４２−１〜４２−Ｎ  アップコンバート部
４２−１ａ〜４２−Ｎａ  ＢＰＦ
４２−１ｂ〜４２−Ｎｂ  周波数変換部
４３  混合器
４４  制御部
４５  受信部
４６  記憶部
４７  解析部
５０  テレビジョン受像機
５１  Ｅ／Ｏ
５２  Ｏ／Ｅ
【図１】
2020141241.tif 000003
【図２】
2020141241.tif 000004
【図３】
2020141241.tif 000005
【図４】
2020141241.tif 000006
【図５】
2020141241.tif 000007
【図６】
2020141241.tif 000008
【図７】
2020141241.tif 000009
【図８】
2020141241.tif 000010
【図９】
2020141241.tif 000011
【図１０】
2020141241.tif 000012
【図１１】
2020141241.tif 000013